(57)【要約】【課題】ズームデマンド等のレンズコントローラにタッチパネル付き液晶表示部を配設し、その表示部に、所望の機能のスイッチを所望の配置で表示できるようにすることで、操作者にとって所望の機能のスイッチを使い易いように配置することができるレンズコントローラを提供する。【解決手段】テレビカメラ用の撮影レンズの制御に使用されるズームデマンド２６のボックス部４０にタッチパネル付き液晶表示部２６Ｂを配設し、その表示部２６ＢにスイッチＳＡ〜ＳＦ等を表示させ、スイッチがオンされたことをタッチパネルにより検出する。これらのスイッチ等の配置や機能は、操作者が使い易いように変更することができるようになっている。【選択図】　　　図２
2004077706.tif 000002
【特許請求の範囲】
【請求項１】
撮影レンズを制御するためのレンズコントローラであって、１又は複数のスイッチが配設されるレンズコントローラにおいて、
前記各スイッチの機能として事前に決められた複数種の機能のうちの所望の機能を設定するスイッチ機能設定手段と、
前記スイッチ機能設定手段によって設定された前記各スイッチの機能を表す情報を前記各スイッチに対応する位置に表示するスイッチ機能表示手段と、
を備えたことを特徴とするレンズコントローラ。
【請求項２】
前記撮影レンズの制御に関する情報を表示する１又は複数の情報表示器と、
前記各情報表示器に表示する情報として事前に決められた複数種の情報のうちの所望の情報を設定する情報設定手段と、
を備えたことを特徴とする請求項１のレンズコントローラ。
【請求項３】
前記各スイッチの画像及び機能を表示する表示手段と、
前記表示手段に表示する前記各スイッチの配置を所望の配置に設定するスイッチ配置設定手段と、
前記表示手段に表示された前記各スイッチをタッチしたことを検出するタッチ検出手段と、
を備えたことを特徴とする請求項１のレンズコントローラ。
【請求項４】
前記表示手段は、前記各情報表示器の画像を表示すると共に、前記各情報表示器の配置を所望の配置に設定する表示器配置設定手段を備えたことを特徴とする請求項３のレンズコントローラ。
【請求項５】
前記表示手段を用いて前記各スイッチ又は前記撮影レンズの制御に関する動作環境を設定する環境設定手段を備えたことを特徴とする請求項３又は請求項４のレンズコントローラ。
【発明の詳細な説明】
【０００１】
【発明の属する技術分野】
本発明はレンズコントローラに係り、特にテレビカメラ用の撮影レンズのズームやフォーカスの制御、操作に使用するレンズコントローラに関する。
【０００２】
【従来の技術】
一般に、テレビカメラに使用される撮影レンズ（ＥＦＰ等のレンズ装置）には、ズーム、フォーカス、アイリス等をモータ駆動するための駆動ユニットが内蔵又は外付けされており、その駆動ユニットにズームデマンドやフォーカスデマンド等のレンズコントローラを接続すると、レンズコントローラの操作部材の操作により撮影レンズのズームやフォーカス等を制御することができるようになっている。例えば、テレビカメラを載置するカメラペデスタルの操作棒に装着されるズームデマンドには、グリップ部を把持しながら親指で回動操作するサムリングが設けられており、そのサムリングの回動操作によりズームの動作速度を制御することができるようになっている。
【０００３】
また、一般にズームデマンドには、上述のようなサムリングの他に多数の機能に関連したスイッチ等の操作部材が配設されており、例えば、ビューファインダ画面の切替えに関するもの、ズームリミットの実行に関するもの、ＦＮｏホールドの実行に関するもの、インカムの切替えに関するもの、プリセットショットの実行に関するもの、クイックズームの実行に関するもの、エクステンダー倍率の切替えに関するもの等が設けられている。また、必要に応じて撮影レンズの制御に関する情報、例えば、ズーム位置、リミット機能のリミット位置、プリセットショット機能のプリセット位置等を表示する表示器なども設けられている（特開２００２−１３１８２３）。
【０００４】
【発明が解決しようとする課題】
ところで、ズームデマンド等のコントローラに配置される上述のようなスイッチは、使用頻度等を考慮して使いやすいように配置されている。しかしながら、実際には、操作者や撮影状況によって各スイッチの使用頻度や使い易い位置が異なる。このため、従来のように各スイッチの配置が固定されていると操作し難い場合があった。また、レンズ制御の機能が増加するに伴い、スイッチや表示器の必要数が増加しており、それら全てのスイッチや表示器をレンズコントローラに配置することは、スペースや操作性の点から困難になってきている。
【０００５】
本発明はこのような事情に鑑みてなされたもので、スイッチ等の配設部材を操作者にとって操作し易いように配置することができるレンズコントローラを提供することを目的とする。
【０００６】
【課題を解決するための手段】
前記目的を達成するために、請求項１に記載の発明は、撮影レンズを制御するためのレンズコントローラであって、１又は複数のスイッチが配設されるレンズコントローラにおいて、前記各スイッチの機能として事前に決められた複数種の機能のうちの所望の機能を設定するスイッチ機能設定手段と、前記スイッチ機能設定手段によって設定された前記各スイッチの機能を前記各スイッチに対応する位置に表示するスイッチ機能表示手段と、を備えたことを特徴としている。
【０００７】
また、請求項２に記載の発明は、請求項１に記載の発明において、前記撮影レンズの制御に関する情報を表示する１又は複数の情報表示器と、前記各情報表示器に表示する情報として事前に決められた複数種の情報のうちの所望の情報を設定する情報設定手段と、を備えたことを特徴としている。
【０００８】
また、請求項３に記載の発明は、請求項１に記載の発明において、前記各スイッチの画像及び機能を表示する表示手段と、前記表示手段に表示する前記各スイッチの配置を所望の配置に設定するスイッチ配置設定手段と、前記表示手段に表示された前記各スイッチをタッチしたことを検出するタッチ検出手段と、を備えたことを特徴としている。
【０００９】
また、請求項４に記載の発明は、請求項３に記載の発明において、前記表示手段は、前記各情報表示器の画像を表示すると共に、前記各情報表示器の配置を所望の配置に設定する表示器配置設定手段を備えたことを特徴としている。
【００１０】
また、請求項５に記載の発明は、請求項３又は請求項４に記載の発明において、前記表示手段を用いて前記各スイッチ又は前記撮影レンズの制御に関する動作環境を設定する環境設定手段を備えたことを特徴としている。
【００１１】
本発明によれば、レンズコントローラに配設される各スイッチの機能として所望の機能を設定できるようにし、その機能が分かるように機能を表す情報を表示するようにしたため、操作者にとって所望の機能のスイッチを使い易いように配置することができるようになり、且つ、各スイッチの機能を容易に把握できるようになる。また、タッチパネル付きのＬＣＤ等により各スイッチの画像を表示し、各スイッチの配置（数と位置）を変更できるようにすることで、スイッチの配置が多様化すると共に、スイッチの数も操作者にとって必要な数に制限することができ、配置スペースが不足する不具合を解消することができる。また、スイッチと同様の設定等をレンズコントローラに配設される各情報表示器に対しても適用することもできる。また、タッチパネル付きのＬＣＤ等の表示手段を用いる場合にその表示手段を利用して動作環境の設定を行えるようにすることで、撮影時には余り必要とされない環境設定のためのスイッチをハード的に設ける必要がなく、スイッチ数の削減を図ることができる。
【００１２】
【発明の実施の形態】
以下添付図面に従って本発明に係るレンズコントローラの好ましい実施の形態について詳説する。
【００１３】
図１は、本発明が適用されるズームデマンドを使用したテレビカメラシステムの全体構成を示した斜視図である。同図のテレビカメラ１０は、レンズ装置１２とカメラ本体１４から構成され、このテレビカメラ１０は、ペデスタルドリー１６上の雲台１８に支持されている。雲台１８には２本の操作ロッド２２、２３が延設され、各操作ロッド２２、２３の端部には、それぞれズームの操作に使用するズームデマンド２６とフォーカスの操作に使用するフォーカスデマンド２８が取り付けられ、それぞれケーブルを介してレンズ装置１２の所定のコネクタに接続されている。
【００１４】
ズームデマンド２６には、サムリング２６Ａが設けられており、サムリング２６Ａを回動操作すると、基準位置からのその回動量に応じたズーム速度指令信号がレンズ装置１２の駆動ユニットに与えられる。これによってレンズ装置１２の光学系（撮影レンズ）のズームがズーム速度指令信号により指令された速度で移動する。
【００１５】
また、ズームデマンド２６には、タッチパネル付き液晶表示部２６Ｂ（以下、液晶表示部２６Ｂという）が設けられており、この液晶表示部２６Ｂには、詳細を後述するようにユーザによって種類や配置が設定されたスイッチ（スイッチ画像）や表示器（表示器画像）が表示されるようになっている。
【００１６】
一方、フォーカスデマンド２８には、回動自在のフォーカスリング２８Ａが設けられており、フォーカスリング２８Ａを回動操作すると、その回動位置に応じたフォーカス位置指令信号がレンズ装置１２の駆動ユニットに与えられる。これによってレンズ装置１２における撮影レンズのフォーカスがフォーカス位置指令信号により指令された位置に移動する。
【００１７】
尚、カメラ本体１４の上面には、撮影中の映像を確認するためのビューファインダ３０が設置されている。
【００１８】
次に、ズームデマンド２６の構成について説明する。図２は、ズームデマンド２６の外観を示した平面図である。同図においてズームデマンド２６には上記液晶表示部２６Ｂが配置されるボックス部４０と、カメラマンが把持するグリップ部４２とが設けられている。グリップ部４２の端部には上記サムリング２６Ａが配置される。
【００１９】
ボックス部４０の液晶表示部２６Ｂには、同図に例示するようにユーザによってカスタマイズされた表示器（表示器画像としての位置表示バーＰＡ、ＰＢ）やスイッチ（スイッチ画像としてのスイッチＳＡ〜ＳＦ）が表示されており、スイッチＳＡ〜ＳＦが表示された部分をタッチするとタッチパネルによりそのタッチ操作が検出されるようになっている。また、ボックス部４０の側面や裏面等の空いたスペースや、グリップ部４２の裏側には、ハード的に構成されたスイッチ（ハードスイッチ）（図ではハードスイッチ４４、４６）が配置されている。尚、同図のハードスイッチ４４は例えばビューファインダ３０の表示画像を自己のテレビカメラ１０での撮影画像から他の画像（放映中の画像、又は、他の所定のテレビカメラでの撮影画像）に切り替えるリターンスイッチであり、ハードスイッチ４６はカメラマンが通信器による交信相手を例えばエンジニアとプロデューサとで切り替えるインカムスイッチである。
【００２０】
図３は、ズームデマンド２６の処理部のブロック図である。同図に示すようにズームデマンド２６にはマイコン５０が内蔵されており、上記液晶表示部２６Ｂに表示される画像は、表示器（ＬＣＤ）５２により表示される画像であり、その画像はマイコン５０からの信号に基づいて表示器用インターフェース５４を介して表示される。また、液晶表示部２６Ｂにはタッチパネル５６が配設されており、画面上をタッチした場合にそのタッチした位置がタッチパネル５６からの信号に基づいてタッチパネル用インターフェース５８により検出され、マイコン５０に与えられる。
【００２１】
また、上記サムリング２６Ａの回動位置を示すポテンショメータ（図示せず）からの信号や、上記ハードスイッチ４４、４６及びその他のハードスイッチ（図では符号４８で示す）のオン／オフ信号がマイコン５０に与えられるようになっている。
【００２２】
マイコン５０は、サムリング２６Ａの回動位置に応じた移動速度でのズームの移動を指令するズーム速度指令信号をレンズ用インターフェース６０を介してレンズ装置１２に送信する。また、マイコン５０は、液晶表示部２６Ｂの表示器５２に表示した各スイッチ（スイッチ画像）が押された（タッチされた）ことをタッチパネル５６からの信号により検出し、各スイッチのオン／オフ状態を認識すると共に、各ハードスイッチ４４、４６、４８からのオン／オフ信号により各ハードスイッチ４４、４６、４８のオン／オフ状態を認識する。そして、液晶表示部２６Ｂの各スイッチや各ハードスイッチ４４、４６、４８のオン／オフ状態に基づく処理を実行する。例えば、レンズ用インターフェース６０を介してオン又はオフされたスイッチの情報等をレンズ装置１２に送信する。
【００２３】
更に、マイコン５０は、レンズ用インターフェース６０を通じてレンズ装置１２から液晶表示部２６Ｂに表示するレンズ情報（ズーム位置等）を取得する。尚、同図に示すメモリ６２に各種データがマイコン５０によって読出し／書込みされる。
【００２４】
次に、ズームデマンド２６のマイコン５０の処理、主に液晶表示部２６Ｂの表示内容をユーザがカスタマイズする際の処理について説明する。図４のフローチャートに示すようにマイコン５０は、メイン処理において液晶表示部２６Ｂに表示している操作画面、例えば、図２４のように表示されている液晶表示部２６Ｂの画面パターンを認識する（ステップＳ１０）。続いて、画面上部に表示されている設定メニュー（「メニュー」）の項目がオン（タッチ）されたか否かを判定する（ステップＳ１２）。ＮＯと判定した場合には、後述の基本操作の処理を行う（ステップＳ１４）。一方、ＹＥＳと判定した場合には後述の画面パターンの設定処理を実行した後（ステップＳ１６）、基本操作の処理を実行する（ステップＳ１４）。そして、上記ステップＳ１２からの処理を繰り返し実行する。尚、マイコン５０は、フローチャートで示した処理とは別に液晶表示部２６Ｂ上のタッチ操作（タッチパネル５６から信号）を常時監視している。
【００２５】
次に、上記ステップＳ１６の画面パターンの設定処理について説明する。図２４の画面上部に表示されている設定メニューの項目をオンすると、図５のフローチャートの処理に移行し、マイコン５０は、液晶表示部２６Ｂに図２５に示すようなメニュー画面Ｍ１を表示する（ステップＳ２０）。メニュー画面Ｍ１には「画面切替え」、「画面作成」、「画面修正」、「機能設定」という項目があり、デフォルトとして「画面切替え」をマークする（選択状態に設定する）（ステップＳ２２）。
【００２６】
次に、「画面作成」の項目を選択（タッチ）すると、図６のフローチャートに移行し、マイコン５０は、液晶表示部２６Ｂに図２６に示すような画面パターンＰ１、Ｐ２、Ｐ３の選択画面（パターン選択画面）を表示する（ステップＳ２６）。ここで表示される画面パターンは、スイッチ（スイッチ画像としてのスイッチ）と表示器（表示器画像としての位置表示バー）の配置のパターンを示すもので、事前に作成された幾つかの候補が液晶表示部２６Ｂに表示されるようになっている。このとき、マイコン５０は、初期パターンとして決められた所定の画面パターンをマークする（選択状態に設定する）（ステップＳ２８）。
【００２７】
ここで、図２６の画面下部には、十字キーＫが表示されており、その十字キーＫの左右キーをタッチすると、図７のフローチャートに移行し、マイコン５０は、右操作か左操作かを判断する（ステップＳ３０）。そして、右操作と判断した場合には、画面に表示されている画面パターンを１つずつ左にシフトさせ（図２６では画面パターンＰ１を画面上から消去し、画面パターンＰ２と画面パターンＰ３を、画面パターンＰ１と画面パターンＰ２が元々表示されていた位置に表示させる）、画面上に表示されていない１つ右の画面パターンを表示する（図２６では、画面パターンＰ４を画面パターンＰ３が元々表示されていた位置に表示する）（ステップＳ３２）。同様に、左操作と判断した場合には、画面に表示されている画面パターンを１つずつ右にシフトさせ、画面上に表示されていない１つ左の画面パターンを表示する（ステップＳ３４）。
【００２８】
図２６の画面に表示されている画面パターンのうち、いずれかの画面パターンを選択（タッチ）すると、図８のフローチャートに移行し、マイコン５０は、タッチされた画面パターンが選択されたものとし（ステップＳ３８）、図２６の画面パターンＰ３のように選択状態であることを示すマークを表示する。
【００２９】
そして、図２６の画面下部に表示されている「次へ」スイッチＳ１をオン（タッチ）すると、図９のフローチャートに移行し、マイコン５０は、選択された画面パターン（画面パターンＰ３が選択されているとする）を図２７に示すように液晶表示部２６Ｂに拡大表示する（ステップＳ４０）（機能設定画面の表示）。尚、図２６の画面下部に表示されている「戻る」スイッチＳ２をオン（タッチ）すると、図１０のフローチャートに移行し、マイコン５０は、前画面、即ち、図２５の画面を液晶表示部２６Ｂに表示する（ステップＳ４２）。
【００３０】
図２７の機能設定画面には、表示器（表示器画像としての位置表示バー）の項目Ａ、Ｂ、Ｃと、スイッチ（スイッチ画像としてのスイッチ）の項目Ｄ、Ｅ、Ｆの配置パターンが表示されており、それぞれの項目をタッチすると、その項目の機能を設定することができるようになっている。例えば、表示器の項目Ｂをタッチすると、図１１のフローチャートに移行し、マイコン５０は、図２８に示すように機能選択画面Ｍ２を表示する（ステップＳ５０）。この機能選択画面において選択可能な機能（表示器で表示するレンズ制御に関する情報の種類）として、例えば「非表示」、「Ｚ　Ｐｏｓｉｔｉｏｎ」、「Ｚ　Ｌｉｍｉｔ」、「Ｚ　Ｐｒｅｓｅｔ」、「Ｆｎｏ　Ｈｏｌｄ」等があり、マイコン５０は、デフォルトとして「非表示」を選択状態として設定する（ステップＳ５２）。
【００３１】
ここで、希望の機能をタッチすると、図１２のフローチャートに移行し、マイコン５０は、その機能の項目をマークする（選択状態に設定する）（ステップＳ５６）。尚、図２８では「Ｚ　Ｌｉｍｉｔ」が選択状態となっている。続いて、図２８の機能選択画面Ｍ２の右隣に表示された「ＯＫ」スイッチをタッチすると、図１３のフローチャートに移行し、マイコン５０は、現パターンで画面パターンを仮登録し（ステップＳ６０）、選択された機能を設定し、その機能を表す情報（文字）を、対応する表示器又はスイッチの近傍に表示する（ステップＳ６２）。
【００３２】
尚、スイッチの機能として選択可能な項目には、例えば、非表示、ビューファインダ画面の切替え（リターンスイッチ）、ズームリミットのオン／オフ切替え（Ｚ　Ｌｉｍｉｔスイッチ）、ＦＮｏホールドのオン／オフ切替え（Ｆｎｏ　Ｈｏｌｄスイッチ）、交信相手の切替え（インカムスイッチ）、プリセットショットの実行（Ｐｒｅｓｅｔスイッチ）、エクステンダー倍率の切替え（Ｅｘｔスイッチ）、クイックズームの実行等がある。
【００３３】
次に、機能設定画面の「保存」スイッチＳ３をオン（タッチ）すると、図１４のフローチャートに移行し、マイコン５０は、図２９に示すような保存画面Ｍ３を液晶表示部２６Ｂに表示する（ステップＳ６６）。そして、デフォルトでは「はい」をマークする（選択状態に設定する）（ステップＳ６８）。続いて、「はい」を選択した状態で「ＯＫ」をタッチすると、図１５のフローチャートに移行し、機能設定画面で設定した機能の設定をメモリ６２に登録する（ステップＳ７０）。そして、図３０に示すように設定、登録した画面パターンを操作画面として液晶表示部２６Ｂに表示する。尚、図２７等の機能設定画面で「戻る」スイッチＳ４をオン（タッチ）すると、図１６のフローチャートに移行し、マイコン５０は、前画面、即ち、図２６のパターン選択画面を液晶表示部２６Ｂに表示する（ステップＳ７２）。
【００３４】
次に、図２５に示したメニュー画面Ｍ１において、「画面切替え」の項目を選択（タッチ）した場合について説明すると、この場合、図１７のフローチャートに移行し、マイコン５０は、すでにメモリ６２に登録した画面パターン（機能設定済みの画面パターン）を図２６と同様に液晶表示部２６Ｂに表示する（ステップＳ８０）。そして、初期パターンとして決められている画面パターンをマークする（選択状態に設定する）（ステップＳ８２）。
【００３５】
ここで、図２６と同様に画面下部には、十字キーが表示されており、その十字キーの左右キーをタッチすると、図１８のフローチャートに移行し、マイコン５０は、右操作か左操作かを判断する（ステップＳ８６）。そして、右操作と判断した場合には、画面に表示されている画面パターンを１つずつ左にシフトさせ、画面上に表示されていない１つ右の画面パターンを表示する（ステップＳ８８）。同様に、左操作と判断した場合には、画面に表示されている画面パターンを１つずつ右にシフトさせ、画面上に表示されていない１つ左の画面パターンを表示する（ステップＳ９０）。
【００３６】
画面に表示されている画面パターンのうち、いずれかの画面パターンをタッチし、画面下部に表示された「次へ」スイッチをオン（タッチ）すると、図１９のフローチャートに移行し、マイコン５０は、選択された画面パターンを設定及び認識する（ステップＳ９２）。尚、画面下部に表示された「戻る」スイッチをタッチすると、図２０のフローチャートに移行し、マイコン５０は、前画面（図２５の画面）を液晶表示部２６Ｂに表示する（ステップＳ９４）。
【００３７】
次に、図４のフローチャートのステップＳ１４に示した基本操作の処理について説明する。例えば、液晶表示部２６Ｂにプリセット（Ｐｒｅｓｅｔ）スイッチが配置されているとし、そのプリセットスイッチがオン（タッチ）されたとする。このとき、図２１のフローチャートに移行し、マイコン５０は、まずＳＷ変化Ｆｌｇを立てる（ステップＳ１００）。続いてＰｒｅｓｅｔ変化Ｆｌｇを立てる（ステップＳ１０２）。そして、Ｐｒｅｓｅｔのオン／オフをセットする（ステップＳ１０４）。
【００３８】
また、例えば、液晶表示部２６Ｂにリミット（Ｌｉｍｉｔ）スイッチが配置されているとし、そのリミットスイッチがオン（タッチ）されたとする。このとき、図２２のフローチャートに移行し、マイコン５０は、まずＳＷ変化Ｆｌｇを立てる（ステップＳ１０６）。続いてＬｉｍｉｔ変化Ｆｌｇを立てる（ステップＳ１０８）。そして、Ｌｉｍｉｔのオン／オフをセットする（ステップＳ１１０）。
【００３９】
基本操作の処理では、図２３のフローチャートに示すように、まず、レンズ装置１２から必要なデータ（ズーム位置等）を読み込む（ステップＳ１２０）。続いて、スイッチ（ＳＷ）変化Ｆｌｇが立ったか否かを判定する（ステップＳ１２２）。ＹＥＳと判定した場合には、変化したスイッチを認識する（ステップＳ１２４）。そして、そのスイッチの変化に応じた処理を実行する（ステップＳ１２６）。次いで画面表示を更新し（ステップＳ１２８）、基本操作の処理を終了する。ステップＳ１２２においてＮＯと判定した場合には、ステップＳ１２４〜ステップＳ１２８の処理を行わずに終了する。
【００４０】
次に、図２５に示したメニュー画面Ｍ１において、「機能設定」の項目を選択（タッチ）した場合について説明する。この場合、マイコン５０は、図３１に示すような機能設定画面を液晶表示部２６Ｂに表示する。この機能選択画面には、レンズ制御やスイッチの動作環境に関する設定項目、例えば、同図に示すように「ＥＳＭモード」、「ズームカーブ」、「リターンスイッチ」、「インカムスイッチ」、「リバース」、「クイックズーム」についての設定項目が表示される。そして、例えば、「リターンスイッチ」の設定項目を選択（タッチ）すると、マイコン５０は、同図に示すように選択画面Ｍ４を表示する。選択画面Ｍ４には、リターンスイッチの機能として「モーメンタリー」方式と、「オルタネート」方式のいずれかを選択する項目が表示され、これらの項目のいずれかを選択（タッチ）し、右隣に表示されている「ＯＫ」スイッチをタッチすると、マイコン５０は、リターンスイッチの機能をその選択された方式に設定する。
【００４１】
同様の操作により「リターンスイッチ」以外の項目についての機能を設定することができ、例えば、「ＥＳＭモード」については、ズームやフォーカスをサーボ駆動するための駆動ユニット（サーボモジュール）の動作をノーマルとハイスピードのいずれかに設定することができ、「ズームカーブ」については、事前に作成されたいくつかのモードのうちから所望のモードを設定することができる。また、「インカムスイッチ」については、通常の交信相手とインカムスイッチをオンしたときの通信相手を設定することができ、「クイックズーム」については、クイックズームスイッチをオンしたときのズームの移動方向をワイドとテレのいずれかに設定することができるようになっている。尚、ここで説明したような「機能設定」の方法は、スイッチの配置や機能が固定されている従来のタイプにおいても適用することができる。
【００４２】
以上、上記実施の形態では、ズームデマンド２６に本発明を適用した場合について説明したが、これに限らず本発明はズームデマンド以外のテレビカメラ用等の撮影レンズを制御するためのレンズコントローラに適用できる。
【００４３】
また、上記実施の形態では、液晶表示部２６Ｂにスイッチ画像を表示する場合について説明したが、本発明は、ハードスイッチに所望の機能を設定できるようにする場合にも適用できる。
【００４４】
【発明の効果】
以上説明したように本発明に係るレンズコントローラによれば、レンズコントローラに配設される各スイッチの機能として所望の機能を設定できるようにし、その機能が分かるように機能を表す情報を表示するようにしたため、操作者にとって所望の機能のスイッチを使い易いように配置することができるようになり、且つ、各スイッチの機能を容易に把握できるようになる。また、タッチパネル付きのＬＣＤ等により各スイッチの画像を表示し、各スイッチの配置（数と位置）を変更できるようにすることで、スイッチの配置が多様化すると共に、スイッチの数も操作者にとって必要な数に制限することができ、配置スペースが不足する不具合を解消することができる。また、スイッチと同様の設定等をレンズコントローラに配設される各情報表示部に対しても適用することもできる。また、タッチパネル付きのＬＣＤ等の表示手段を用いる場合にその表示手段を利用して動作環境の設定を行えるようにすることで、撮影時には余り必要とされない環境設定のためのスイッチをハード的に設ける必要がなく、スイッチ数の削減を図ることができる。
【図面の簡単な説明】
【図１】図１は、本発明が適用されるズームデマンドを使用したテレビカメラシステムの全体構成を示した斜視図である。
【図２】図２は、ズームデマンドの外観を示した平面図である。
【図３】図３は、ズームデマンドの処理部のブロック図である。
【図４】図４は、ズームデマンドのマイコンのメイン処理を示したフローチャートである。
【図５】図５は、ズームデマンドの液晶表示部に表示されるメニュー画面表示の処理を示したフローチャートである。
【図６】図６は、ズームデマンドの液晶表示部に表示されるパターン選択画面表示の処理を示したフローチャートである。
【図７】図７は、ズームデマンドの液晶表示部に表示されるパターン選択画面での操作に対する処理を示したフローチャートである。
【図８】図８は、ズームデマンドの液晶表示部に表示されるパターン選択画面での操作に対する処理を示したフローチャートである。
【図９】図９は、ズームデマンドの液晶表示部に表示されるパターン選択画面での操作に対する処理を示したフローチャートである。
【図１０】図１０は、ズームデマンドの液晶表示部に表示されるパターン選択画面での操作に対する処理を示したフローチャートである。
【図１１】図１１は、ズームデマンドの液晶表示部に表示される機能設定画面での操作に対する処理を示したフローチャートである。
【図１２】図１２は、ズームデマンドの液晶表示部に表示される機能設定画面における機能選択画面での操作に対する処理を示したフローチャートである。
【図１３】図１３は、ズームデマンドの液晶表示部に表示される機能設定画面における機能選択画面での操作に対する処理を示したフローチャートである。
【図１４】図１４は、ズームデマンドの液晶表示部に表示される機能設定画面における機能選択画面での操作に対する処理を示したフローチャートである。
【図１５】図１５は、ズームデマンドの液晶表示部に表示される機能設定画面における保存画面での操作に対する処理を示したフローチャートである。
【図１６】図１６は、ズームデマンドの液晶表示部に表示される機能設定画面での操作に対する処理を示したフローチャートである。
【図１７】図１７は、ズームデマンドの液晶表示部に表示されるメニュー画面において「画面切替え」を選択した場合の処理を示したフローチャートである。
【図１８】図１８は、ズームデマンドの液晶表示部に表示されるメニュー画面において「画面切替え」を選択した場合の処理を示したフローチャートである。
【図１９】図１９は、ズームデマンドの液晶表示部に表示されるメニュー画面において「画面切替え」を選択した場合の処理を示したフローチャートである。
【図２０】図２０は、ズームデマンドの液晶表示部に表示されるメニュー画面において「画面切替え」を選択した場合の処理を示したフローチャートである。
【図２１】図２１は、図４のステップＳ１４における基本操作の処理の説明に使用したフローチャートである。
【図２２】図２２は、図４のステップＳ１４における基本操作の処理の説明に使用したフローチャートである。
【図２３】図２３は、図４のステップＳ１４における基本操作の処理の説明に使用したフローチャートである。
【図２４】図２４は、ズームデマンドの液晶表示部に表示される操作画面の一例を示した図である。
【図２５】図２５は、ズームデマンドの液晶表示部に表示されるメニュー画面の一例を示した図である。
【図２６】図２６は、ズームデマンドの液晶表示部に表示されるパターン選択画面の一例を示した図である。
【図２７】図２７は、ズームデマンドの液晶表示部に表示される機能設定画面の一例を示した図である。
【図２８】図２８は、ズームデマンドの液晶表示部に表示される機能設定画面における機能選択画面の一例を示した図である。
【図２９】図２９は、ズームデマンドの液晶表示部に表示される機能設定画面における保存画面の一例を示した図である。
【図３０】図３０は、ズームデマンドの液晶表示部に表示される操作画面の一例を示した図である。
【図３１】図３１は、ズームデマンドの液晶表示部に表示される機能設定画面の一例を示した図である。
【符号の説明】
１０…テレビカメラ、１２…レンズ装置、１４…カメラ本体、２６…ズームデマンド、２６Ａ…サムリング、２６Ｂ…液晶表示部（タッチパネル付き）、２８…フォーカスデマンド、４０…ボックス部、４２…グリップ部、ＰＡ、ＰＢ…表示器（位置表示バー）、ＳＡ〜ＳＦ…スイッチ、４４、４６…ハードスイッチ、５０…マイコン、５２…表示器（ＬＣＤ）、５４…表示器用インターフェース、５６…タッチパネル、５８…タッチパネル用インターフェース、６０…レンズ用インターフェース、６２…メモリ
【図１】
2004077706.tif 000003
【図２】
2004077706.tif 000004
【図３】
2004077706.tif 000005
【図４】
2004077706.tif 000006
【図５】
2004077706.tif 000007
【図６】
2004077706.tif 000008
【図７】
2004077706.tif 000009
【図８】
2004077706.tif 000010
【図９】
2004077706.tif 000011
【図１０】
2004077706.tif 000012
【図１１】
2004077706.tif 000013
【図１２】
2004077706.tif 000014
【図１３】
2004077706.tif 000015
【図１４】
2004077706.tif 000016
【図１５】
2004077706.tif 000017
【図１６】
2004077706.tif 000018
【図１７】
2004077706.tif 000019
【図１８】
2004077706.tif 000020
【図１９】
2004077706.tif 000021
【図２０】
2004077706.tif 000022
【図２１】
2004077706.tif 000023
【図２２】
2004077706.tif 000024
【図２３】
2004077706.tif 000025
【図２４】
2004077706.tif 000026
【図２５】
2004077706.tif 000027
【図２６】
2004077706.tif 000028
【図２７】
2004077706.tif 000029
【図２８】
2004077706.tif 000030
【図２９】
2004077706.tif 000031
【図３０】
2004077706.tif 000032
【図３１】
2004077706.tif 000033